(57)【要約】【課題】  本発明は、外部の装置がアクセス制限を示す設定情報を使って、フォルダを表示する画面を生成しない場合でも、アクセス制限を示す設定情報を反映してフォルダを表示する画面を表示することを目的とする。【解決手段】  本発明の画像処理装置は、フォルダを表示する表示手段と、前記表示手段に表示された前記フォルダから送信先として設定されたフォルダに画像データを送信する送信手段と、外部の装置から前記フォルダに対するアクセス制限を示す設定情報を取得する取得手段と、を有し、前記表示手段は、前記取得手段により取得された前記アクセス制限を示す設定情報を使って、前記フォルダを表示することを特徴とする。【選択図】  図９
2018107698.tif 000002
【特許請求の範囲】
【請求項１】
フォルダを表示する表示手段と、
前記表示手段に表示された前記フォルダから選択されたフォルダに画像データを送信する送信手段と、
外部の装置から前記フォルダに対するアクセス制限を示す設定情報を取得する取得手段と、を有し、
前記表示手段は、前記取得手段により取得された前記設定情報を使って、前記フォルダを表示することを特徴とする画像処理装置。
【請求項２】
前記設定情報は、前記フォルダにアクセスすることのできる特定のユーザがフォルダに対して設定されているフォルダであるか、前記フォルダにアクセスすることのできる特定のユーザがフォルダに対して設定されていないフォルダであるかを示す設定情報であることを特徴とする請求項１に記載の画像処理装置。
【請求項３】
前記画像処理装置は、
原稿を読み取って画像データを生成する読み取り手段をさらに有し、
前記表示手段は、前記アクセスすることのできる特定のユーザがフォルダに対して設定されているフォルダが前記画像データの送信先として選択されたことに従って、当該フォルダを送信先として用いるか否かを選択することのできる確認画面を表示することを特徴とする請求項２に記載の画像処理装置。
【請求項４】
前記表示手段は、前記アクセスすることのできる特定のユーザがフォルダに対して設定されているフォルダが前記画像データの送信先として設定されたことに従って、前記確認画面を表示することなく、設定された当該フォルダを前記画像データの送信先として表示する請求項３に記載の画像処理装置。
【請求項５】
前記アクセスすることのできる特定のユーザがフォルダに対して設定されているフォルダは、前記フォルダに記憶されたデータを見ることのできるユーザが予め設定されているフォルダまたは、前記フォルダに記憶されたデータをみることのできる少なくとも一人のユーザからなるグループが予め設定されているフォルダであることを特徴とする請求項２乃至４のいずれか一項に記載の画像処理装置。
【請求項６】
前記表示手段は所定のアクセス制限を示す設定情報の設定されたフォルダを他のアクセス制限を示す設定情報の設定された他のフォルダと異なる色で表示する、前記所定のアクセス制限を示す設定情報の設定されたフォルダのフォルダ名を前記他のフォルダのフォルダ名と異なるフォントで表示する、前記所定のアクセス制限を示す設定情報の設定されたフォルダのフォルダアイコンを前記他のフォルダのフォルダアイコンと異なるフォルダアイコンで表示する、のうち少なくとも一つの方法で前記所定のアクセス制限を示す設定情報の設定されたフォルダと前記他のフォルダの表示を異なる表示とすることを特徴とする請求項１乃至５のいずれか一項に記載の画像処理装置。
【請求項７】
前記画像処理装置は、
前記画像処理装置にログインするユーザを識別する識別手段をさらに有し、
前記表示手段は、前記識別手段により識別されたユーザがアクセスすることのできるフォルダを表示することを特徴とする請求項１乃至６のいずれか一項に記載の画像処理装置。
【請求項８】
前記取得手段は前記外部の装置から前記識別手段により識別されたユーザがアクセスすることのできるフォルダの構成を示す情報を取得し、
前記表示手段は前記取得手段により取得された前記フォルダの構成を示す情報に基づいて、前記フォルダを表示することを特徴とする請求項７に記載の画像処理装置。
【請求項９】
フォルダを表示する表示手段と、
前記表示手段により表示されるフォルダから選択されるフォルダに画像データを送信する送信手段と、を有し、
前記表示手段は、アクセスすることのできる特定ユーザがフォルダに対して設定されていないフォルダが前記画像データの送信先として設定されたことに従って、当該フォルダを前記画像データの送信先として用いるかをユーザに問合せる確認画面を表示することを特徴とする画像処理装置。
【請求項１０】
画像処理装置の制御方法であって、
フォルダを表示する表示ステップと、
前記表示ステップにおいて表示される前記フォルダから選択されたフォルダに画像データを送信する送信ステップと、
前記表示ステップにおいて表示されるフォルダのアクセス制限を示す設定情報を外部の装置から取得する取得ステップと、を有し、
前記表示ステップにおいて、前記取得ステップにおいて取得された前記設定情報を使って、前記フォルダを表示することを特徴とする画像処理装置の制御方法。
【請求項１１】
画像処理装置の制御方法であって、
フォルダを表示する第１の表示ステップと、
前記第１の表示ステップにおいて表示される前記フォルダから選択されたフォルダに画像データを送信する送信ステップと、
アクセスすることのできる特定のユーザがフォルダに対して設定されていないフォルダが前記画像データの送信先として選択されたことに従って、当該フォルダを前記画像データの送信先として設定するかを問合せる画面を表示する第２の表示ステップと、を有することを特徴とする画像処理装置の制御方法。
【請求項１２】
請求項１０または請求項１１に記載の画像処理装置の制御方法をコンピュータが実行するためのプログラム。
【発明の詳細な説明】
【技術分野】
【０００１】
本発明は、画像データを外部装置に送信することのできる画像処理装置、および画像処理装置の制御方法、プログラムに関する。
【背景技術】
【０００２】
ネットワーク等を介して接続されたサーバ等の外部の装置のフォルダに画像データを送信することのできる画像処理装置がある。
このような画像処理装置では、画像データの送信先フォルダを選択して、送信することで画像データを外部のサーバ等の装置に設けられたフォルダに送信することができる。
特許文献１には、画像処理装置に接続されたコンピュータの画面を画像処理装置の表示部に表示して、ユーザが画像処理装置の表示部を操作することでコンピュータ内のフォルダから画像データの送信先を選択することが記載されている。
【先行技術文献】
【特許文献】
【０００３】
【特許文献１】特開２０１０−７４６８２号公報
【発明の概要】
【発明が解決しようとする課題】
【０００４】
ところで、サーバ等の外部の装置のフォルダでは、フォルダ毎にフォルダ内の情報を読み出すことのできるユーザや、そのフォルダに書き込みをすることのできるユーザを制限するアクセス制限を設定することができる。ユーザはＰＣ等を用いてサーバ等の外部の装置にアクセスし、各フォルダについてアクセス制限を設定する。
【０００５】
サーバ等の外部の装置が上記のアクセス制限を示す設定情報を使って、画像データの送信先となるフォルダを選択するためのフォルダ選択画面を生成している場合、画像処理装置の表示部にはアクセス制限を示す設定情報を反映したフォルダ選択画面が表示される。これにより、例えば画像処理装置を用いて画像データの送信先を選択するユーザが、外部の装置のどのフォルダにアクセス制限が設定されているかを知ることができる。
【０００６】
しかし、サーバ等の外部の装置が各フォルダに設定されているアクセス制限を示す設定情報を使うことなくフォルダ選択画面を生成する場合がある。このとき、画像処理装置はフォルダに設定されているアクセス制限を示す設定情報を反映したフォルダ選択画面を表示することができない。
【０００７】
本発明の画像処理装置は、外部の装置がアクセス制限を示す設定情報を使って、画像データの送信先となるフォルダを選択するフォルダ選択画面を生成しない場合でも、アクセス制限を示す設定情報を反映したフォルダ選択画面を表示することを目的とする。
【課題を解決するための手段】
【０００８】
本発明の画像処理装置は、フォルダを表示する表示手段と、前記表示手段に表示された前記フォルダから選択されたフォルダに画像データを送信する送信手段と、前記外部の装置から前記フォルダのアクセス制限を示す設定情報を取得する取得手段と、を有し、前記表示手段は、前記取得手段により取得された前記設定情報を使って、前記フォルダを表示することを特徴とする。
【発明の効果】
【０００９】
本発明の画像処理装置は、外部の装置がアクセス制限を示す設定情報を使って、画像データの送信先となるフォルダを選択するフォルダ選択画面を生成しない場合でも、アクセス制限を示す設定情報を反映したフォルダ選択画面を表示することができる。
【図面の簡単な説明】
【００１０】
【図１】本発明の実施形態にかかる画像処理装置１００を含むシステム構成の一例を示す図である。
【図２】本発明の実施形態にかかる画像処理装置１００のハードウェア構成図である。
【図３】本発明の実施形態にかかる画像処理装置１００のソフトウェア構成図である。
【図４】本発明の実施形態に係るサーバ１０３のハードウェア構成図である。
【図５】本発明の実施形態にかかる表示部２１２に表示される「スキャンして送信」画面４００の一例を示す図である。
【図６】本発明の実施形態にかかる表示部２１２に表示される「フォルダ選択」画面５００の一例である。
【図７】本発明の実施形態にかかるダイアログボックス７０１の一例を示した図である。
【図８】本発明の実施形態にかかる送信先を設定した後の「スキャンして送信」画面である。
【図９】本発明の実施形態にかかる「フォルダ選択」画面５００を表示するときに行う処理のフローチャートである
【図１０】本発明の実施形態にかかる、画像処理装置１００がサーバ１０３から取得するフォルダ構成の情報の一例を示す図である。
【図１１】本発明の実施形態にかかる、ダイアログボックス７０１を表示するための処理の一例を示す図である。
【発明を実施するための形態】
【００１１】
以下、本発明を実施するための最良の形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
図１は実施形態における画像処理装置１００を含むシステム構成を説明する図である。画像処理装置１００は原稿を読み取って得られた画像データを、ネットワーク１０１を通して、外部のサーバ１０３に送信する。サーバ１０３は、画像処理装置１００からネットワーク１０１を介して画像データを受け取る。
【００１３】
図２は本実施形態における画像処理装置１００のハードウェア構成を示すブロック図である。ＣＰＵ２０２を含む制御部２０１は、画像処理装置１００全体の動作を制御する。ＣＰＵ２０２は、ＲＯＭ２０４に記憶された制御プログラムを読み出して通信制御などの各種制御を行う。ＲＡＭ２０３は、ＣＰＵ２０２の主メモリ、ワークエリア等の一時記憶領域として用いられる。ＨＤＤ２１４は、データや各種プログラム、各種情報テーブルを記憶する。
【００１４】
プリンタインタフェース（プリンタＩ／Ｆ）２０６は、プリンタ２０７（プリンタエンジン）に画像信号を出力するインターフェースを担う。また、スキャナインタフェース（スキャナＩ／Ｆ）２０８は、スキャナ２０９（スキャナエンジン）で生成された画像データの画像信号を制御部２０１に入力するインターフェースを担う。ＣＰＵ２０２は、スキャナＩ／Ｆ２０８から入力された画像信号を処理し、プリンタＩ／Ｆ２０６へ出力する。
【００１５】
操作パネルインタフェース（操作パネルＩ／Ｆ）２１０は、表示部２１２と制御部２０１、入力部２１１と制御部２０１を接続する。入力部２１１はタッチパネル等から構成され、画像データの送信先となるフォルダの選択をユーザから受け付けるのに用いられる。表示部２１２は画像データの送信先となるフォルダの候補を表示するのに用いられる。
【００１６】
ネットワークインタフェース（ネットワークＩ／Ｆ）２１３は外部のサーバ１０３に画像データを送信したり、あるいはそれら外部のサーバ１０３から各種情報を受信したりする。
【００１７】
制御部２０１内の各ブロックはシステムバス２０５を介して接続されている。
【００１８】
図３は本実施形態における画像処理装置１００のソフトウェア構成の一例を示す図である。図３に示す各機能部は、画像処理装置１００のＣＰＵ１０２が制御プログラムを実行することにより実現される。
【００１９】
入力制御部３０１は入力部２１１を制御する。入力制御部３０１はユーザからの入力を受け付け、受け付けた入力の内容を他の機能部に通知する。
【００２０】
記憶部３０２は、他の機能部からの指示により、指定されたデータをＲＯＭ２０４やＨＤＤ２１４に記憶したり、ＲＯＭ２０４やＨＤＤ２１４に記憶されているデータを読み出す。
【００２１】
表示制御部３０３は操作メニューや入力内容を表示部２１２に表示するための制御を行う。
【００２２】
データ処理部３０４はスキャナ２０９が原稿を読み取って生成した画像データをＰＤＦデータ等の適切なファイル形式に変換する処理を行う。
【００２３】
通信部３０５はネットワークＩ／Ｆ２１３を通して外部のサーバ１０３との通信を行う。
【００２４】
図４は、画像処理装置１００とネットワークを介して接続される外部装置として動作するサーバ１０３のハードウェア構成を示した図である。
【００２５】
ＣＰＵ８０１はＲＯＭ８０２に格納された制御プログラムを読み出して実行し、バス８０６を介してサーバ１０３全体の制御を行う。ＲＡＭ８０４はＣＰＵ８０１の主メモリ、ワークエリア等の一時記憶領域として用いられる。
【００２６】
本実施形態において、スキャナ２０９が原稿を読み取って生成した画像データの送信先となるフォルダは、外部装置８００のＨＤＤ８０３内にあるとする。ＣＰＵ８０１がＨＤＤ８０３を参照することで、ＨＤＤ８０３内のフォルダの構成を示す情報および、各フォルダへの共有設定情報を取得することができる。サーバ１０３は、ネットワークＩ／Ｆ８０５を介してネットワークに接続し、画像処理装置１００とデータのやりとりを行う。
【００２７】
図５は、画像処理装置１００において「スキャンして送信」機能を使用するときに表示部２１２に表示される画面である。「スキャンして送信」機能とは、画像処理装置１００のスキャナ２０９が生成した画像データをネットワーク１０１に接続された外部のサーバ１０３に送信する機能である。ユーザが画像処理装置１００にログインをして、「スキャンして送信」機能の設定画面を表示するよう操作をすることで、表示部２１２に「スキャンして送信」画面４００が表示される。
【００２８】
ユーザが「送信先フォルダ選択」ボタン４０１を押下すると、送信先として選択可能なフォルダを列挙した、後述の「フォルダ選択」画面５００が表示部２１２に表示される。ユーザが「設定」ボタン４０２を押下すると、解像度や拡張子などの設定が可能な不図示の設定画面を表示部２１２に表示される。ユーザが「白黒」ボタン４０３を押下すると、画像処理装置１００は原稿を読み取って、得られた画像データをモノクロの画像データとして設定された送信先に送信する。ユーザが「カラー」ボタン４０４を押下すると、画像処理装置１００は原稿を読み取って、得られた画像データをカラーの画像データとして設定された送信先に送信する。ユーザが「ＳＴＯＰ」キー４０５を押下すると、画像処理装置１００は実行中の処理を中断する。
【００２９】
図６は、ユーザが「送信先フォルダ選択」ボタン４０１を押下したときに、表示部２１２に表示される「フォルダ選択」画面５００である。画像処理装置１００は「送信先フォルダ選択」ボタン４０１の押下を検知した後、サーバ１０３のＨＤＤ８０３に設けられたフォルダのフォルダ構成を示す情報と各フォルダの共有設定情報を取得する。共有設定は予め、ユーザＰＣ等の装置を用いてサーバ１０３にアクセスしてＯＮ／ＯＦＦの設定をすることができる。共有設定がＯＮのフォルダとは、当該フォルダにアクセスすることのできるユーザがフォルダに対して予め設定されていないフォルダである。共有設定がＯＦＦのフォルダとは、アクセスすることのできるユーザがフォルダに対して予め設定されているフォルダである。本明細書において、フォルダにアクセスすることのできる状態とは、ユーザがＰＣ等の表示装置を用いて当該フォルダのパスを入力して当該フォルダへの接続要求を送信したときに、当該フォルダ内に記憶されている情報を表示することのできる状態を示す。フォルダのパスとはサーバ内のフォルダの場所を示す、フォルダのアドレス情報である。
【００３０】
取得した共有設定情報に基づいて、表示制御部３０３が「フォルダ選択」画面５００を描画して、表示部２１２に表示する。このとき、サーバ１０３から取得した各フォルダの共有設定情報を参照して、共有設定がＯＮのフォルダと共有設定がＯＦＦのフォルダを区別して表示する。例えば図６では、「ＢＢＢ」というフォルダは共有設定がＯＮのフォルダである。一方で、「ＡＡＡ」というフォルダは画像処理装置１００にログインしているユーザのみがアクセスすることのできる共有設定がＯＦＦのフォルダである。そこで、画像処理装置１００は、フォルダ群５０１を網掛けして強調表示する。
【００３１】
ユーザが「フォルダ選択」画面５００に表示されたフォルダから任意の１つのフォルダを選択してから、「確定」ボタン５０２を押下して送信先のフォルダを決定する。
【００３２】
尚、本実施形態では共有フォルダを網掛け表示しているが、フォルダ名の表示に用いるフォントの書体や色を変えたり、共有フォルダと他のフォルダで異なるアイコンを用いたりしてもよい。
【００３３】
上記のように、サーバ１０３から取得した共有設定情報を参照して、画像処理装置１００は共有フォルダとそうでない他のフォルダを区別して表示する。このようにすることで、ユーザは画像データの送信先となるフォルダを選択するときに、どのフォルダが共有フォルダかを容易に知ることができる。
【００３４】
図７は「フォルダ選択」画面５００において、ユーザがフォルダ群５０１中のフォルダを送信先として選択してから、「確定」ボタン５０２を押下した際に表示されるダイアログボックス７０１の一例を示す図である。
【００３５】
ダイアログボックス７０１は、ユーザが送信先として選択したフォルダが、アクセスすることのできるユーザが予め設定されていないセキュリティレベルの低いフォルダであることをユーザに通知するメッセージを表示する。ダイアログボックス７０１は、ユーザが選択した共有フォルダを画像データの送信先として用いてよいか否かをユーザに問合せるための確認画面である。
【００３６】
ダイアログボックス７０１には、「はい」ボタン７０２と、「いいえ」ボタン７０３がある。ユーザが「はい」ボタン７０２を押下した場合、画像処理装置１００はダイアログボックス７０１を閉じて、画像処理装置１００の表示部２１２に図８に示す「スキャンして送信」画面４００を表示する。図８では、「送信先フォルダ選択」ボタン４０１に、ユーザが送信先として選択したフォルダの名称が表示されている。本実施形態では「送信先フォルダ選択」ボタン４０１にフォルダの名称が表示されるものとして説明するが、「送信先フォルダ選択」ボタン４０１に送信先として選択されたフォルダのパスが表示されるようにしてもよい。
【００３７】
選択した送信先を変更する場合には、ユーザが「送信先選択フォルダ」ボタン４０１を再び押下して「フォルダ選択」画面５００を表示させればよい。
【００３８】
ユーザがダイアログボックス７０１において「いいえ」ボタン７０３を押下した場合、選択されたフォルダを送信先として設定することなく、画像処理装置１００は表示部２１２に図５に示す「スキャンして送信」画面４００を表示する。ユーザが「いいえ」ボタン７０３を押下した場合に、画像処理装置１００が「フォルダ選択画面」５００を表示部２１２に表示してもよい。
【００３９】
本実施形態では、画像処理装置１００は「選択されたフォルダはオープンなフォルダです。オープンなフォルダに送信しても良いですか？」という文章と「はい」「いいえ」のボタンをダイアログボックス７０１に表示した。ダイアログボックス７０１に表示される文章はこれに限るものではなく、ユーザが選択したフォルダが当該フォルダにアクセスすることのできるユーザが予めフォルダに対して設定されていないフォルダであることを示す文章であればよい。たとえば「選択されたフォルダは共有設定のされているフォルダです。」や「選択されたフォルダはだれもがアクセスすることのできるフォルダです。」等の文章を表示するようにしてもよい。また、「選択されたフォルダはアクセスできるユーザが制限されていないフォルダです。」というように、共有フォルダがアクセスの制限されていないフォルダであることを示す文章でもよい。さらに、ユーザが選択したフォルダの名称をダイヤログ７１０に表示して、「選択された“２０１６０５３０＿ＸＸＸ”はだれもがアクセスすることのできるフォルダです。」というような文章を表示してもよい。
【００４０】
図９は「フォルダ選択」画面５００を表示する際のＣＰＵ２０２の処理を示すフローチャートである。図９に記載の処理を実行するためのプログラムは、ＲＯＭ２０４に記憶されており、ＣＰＵ２０２がプログラムをＲＡＭ２０３に展開して実行することにより実現する。
【００４１】
入力制御部３０１が「送信先フォルダ選択」ボタン４０１の押下を検知したことにしたがって、画像処理装置１００は図９に記載する処理を実行する。
【００４２】
表示制御部３０３は通信部３０５を介して、外部のサーバ１０３にフォルダの構成を示す情報の要求を送信し、フォルダの構成を示す情報を取得する（Ｓ６０１）。
【００４３】
Ｓ６０１において、通信部３０５は、画像処理装置１００にログインしているユーザを示す情報をサーバ１０３に送信する。その後、通信部３０５は、サーバ１０３内の全てのフォルダから、画像処理装置１００にログインしているユーザがアクセスすることのできるフォルダについてのみ、フォルダの構成を示す情報を取得する。画像処理装置１００がログインユーザを識別することで、ログイン中のユーザがアクセスできるフォルダの構成を示す情報のみを送信先の候補としてサーバ１０３から取得することができる。
【００４４】
図１０は画像処理装置１００がサーバ１０３から取得するフォルダの構成を示す情報の模式図である。９０２は、画像処理装置１００にログイン中のユーザがアクセスすることのできるフォルダのフォルダ名である。図１０は、画像処理装置１００にログイン中のユーザは「ＡＡＡ」という共有設定がＯＦＦのフォルダと「ＢＢＢ」という共有設定がＯＮのフォルダにアクセスすることができることを示している。さらに、「ＢＢＢ」のなかには４つのフォルダがあることを示している。
【００４５】
表示制御部３０３は通信部３０５を介して、サーバ１０３に各フォルダの共有設定情報の取得要求を送信する（Ｓ６０２）。
【００４６】
外部のサーバ１０３から取得した情報に基づいて、表示制御部３０３は各フォルダの有設定がＯＮであるかを判定する（Ｓ６０３）。
【００４７】
フォルダの共有設定がＯＮである場合、表示制御部３０３はそのフォルダを強調表示する共有設定がＯＮのフォルダとしてＲＡＭ２０３に記憶する（Ｓ６０４）。Ｓ６０４において、表示制御部３０３は、当該フォルダの共有設定がＯＮであるかを示すフラグをＯＮにする。強調表示とは、たとえばそのフォルダ表示の色を変えたり、フォントを変える等の表示を行うことである。Ｓ６０４の処理を行うことで、共有フォルダは、アクセスするユーザがフォルダに対して予め設定されているフォルダとは異なる表示をすることができる。
【００４８】
Ｓ６０３において、フォルダの共有設定がＯＦＦの場合、表示制御部３０３は当該フォルダを通常表示する共有設定がＯＦＦのフォルダとしてＲＡＭ２０３に記憶する（Ｓ６０５）。Ｓ６０５において、表示制御部３０３は当該フォルダの共有設定がＯＮであるか否かを示すフラグをＯＦＦにする。
【００４９】
表示制御部３０３は、Ｓ６０２で取得した情報を参照して表示を決定していないフォルダがあるかを判定する（Ｓ６０６）。表示を決定していないフォルダがある場合、画像処理装置１００はＳ６０２〜Ｓ６０５の処理を繰り返し行う。全てのフォルダについて表示を決定した場合、表示制御部３０３は「フォルダ選択」画面５００を表示部２１２に表示する（Ｓ６０７）。Ｓ６０７において、表示制御部３０３は、各フォルダの共有設定がＯＮかを示すフラグを参照して、共有設定がＯＮのフォルダを強調表示し、共有設定がＯＦＦのフォルダを通常表示する。これにより、共有フォルダの表示と共有フォルダでない他のフォルダを区別して表示することができる。
【００５０】
図１１は、ユーザが送信先を選択したときの画像処理装置１００の処理の流れを示すフローチャートである。当該フローチャートの処理を実行するためのプログラムはＲＯＭ２０４に記憶されており、ＣＰＵ２０２が当該プログラムを読み出して実行することで、処理が実現する。
【００５１】
入力制御部３０１は「フォルダ選択」画面５００の「確定」ボタン５０２が押下されたことを検知する（Ｓ８０１）。
【００５２】
次に、入力制御部３０１は「フォルダ選択」画面５００において、選択されているフォルダがあるかを判定する（Ｓ８０２）。選択されているフォルダがない場合、表示制御部３０３はその旨を通知する画面を表示部２１２に表示し、Ｓ８０１に処理を戻す。
【００５３】
送信先のフォルダが選択されていた場合、表示制御部３０３は、選択されたフォルダの共有設定情報をサーバ１０３から取得して、共有設定がＯＮであるかを判定する（Ｓ８０３）。本実施形態では、Ｓ８０３において、表示制御部３０３がサーバ１０３から共有設定情報を取得することとする。しかし、画像処理装置１００が図９のＳ６０２に示す処理において、各フォルダの共有設定情報を取得しておき、その情報をＲＡＭ２０３等に記憶しておくとしてもよい。その場合、Ｓ８０３において表示制御部３０３は、選択されたフォルダの共有設定をＲＡＭ２０３から取得して、そのフォルダの共有設定がＯＮであるかを判定する。
【００５４】
選択されたフォルダの共有設定がＯＮである場合、表示制御部３０３はダイアログボックス７０１を表示部２１２に表示する（Ｓ８０４）。共有設定がＯＦＦである場合、表示制御部３０３は処理を後述するＳ８０６に処理をすすめる。
【００５５】
入力制御部３０１は「はい」ボタン７０２が押下されたかを判定する（Ｓ８０５）。「はい」ボタン７０２が押下された場合、表示制御部３０３は選択された送信先のフォルダ名称を「送信先フォルダ選択」ボタン４０１に表示した「スキャンして送信」画面４００を表示する（Ｓ８０６）。そして、通信部３０５は、サーバ１０３から選択されたフォルダのパスを取得する。
【００５６】
ダイアログボックス７０１において、「はい」ボタン７０２が押下されなかった場合、入力制御部３０１は「いいえ」ボタン７０３が押下されたかを判定する（Ｓ８０７）。「いいえ」ボタン７０３が押下されていない場合、引き続き、表示制御部３０３は表示部２１２にダイアログボックス７０１を表示して、Ｓ８０５に処理を戻す。
【００５７】
「いいえ」ボタン７０３が押下された場合、表示制御部３０３は選択されたフォルダを送信先として設定すること無く、ダイアログボックス７０１を閉じる。そして、表示制御部３０３は、図５に示す「スキャンして送信」画面４００を表示部２１２に表示して、本フローチャートに記載の処理を終了する（Ｓ８０８）。
【００５８】
実施形態では、画像データの送信先の候補を表示するときに、サーバ等の外部装置から各フォルダの共有設定情報を取得し、共有設定がＯＮであるフォルダと共有設定がＯＦＦであるフォルダでフォルダを区別して表示する。例えば、共有設定がＯＮのフォルダを共有設定がＯＦＦのフォルダと異なる色、フォント、異なるアイコン等を用いて表示する。
【００５９】
このようにすることで、ユーザは送信先フォルダを選択するときに、当該フォルダにアクセスするユーザがフォルダに対して予め設定されていないフォルダである共有設定がＯＮのフォルダがどれかを知ることができる。また、アクセスすることのできるユーザがフォルダに対して予め設定されている共有設定がＯＦＦのフォルダと共有設定がＯＮのフォルダを区別することができる。
【００６０】
また、本実施形態では、画像処理装置がサーバから各フォルダの共有設定情報を取得する。そして、取得した情報に基づいて、画像処理装置が各フォルダの共有設定がＯＮであるかＯＦＦであるかを判定し、その情報を使って共有設定がＯＮのフォルダと共有設定がＯＦＦのフォルダを区別して表示する。このようにすることで、外部の装置が共有設定等のアクセス制限を示す設定情報を使わずに、フォルダ選択画面を生成した場合であっても、フォルダのアクセス制限を示す設定情報を反映したフォルダ選択画面を表示することができる。
【００６１】
さらに、ユーザが選択したフォルダが共有フォルダである場合、共有フォルダを送信先として設定することを確認するダイアログボックスを確認画面として表示する。確認画面を表示することで、ユーザが選択したフォルダにアクセスすることのできるユーザがフォルダに対して予め設定されていない共有フォルダであることを改めてユーザに知らせることができる。これにより、ユーザが共有フォルダへの画像データの送信を意図していないときに、共有フォルダを画像データの送信先として設定してしまうことを抑制することができる。
【００６２】
（その他の実施形態）
上記の実施形態では、画像処理装置から外部のサーバに画像データを送信する場合について説明した。クラウドサービスを利用して、クラウドサーバ上のフォルダに画像データを送信するものとしてもよい。その場合に、クラウドサーバ上の各フォルダのパスはＵＲＬで表される。すなわち、クラウドサービスにおいて共有設定がＯＮのフォルダとは、当該ＵＲＬにアクセスして、フォルダ内の情報を表示装置に表示させることのできるユーザがフォルダに対して予め設定されていないフォルダである。
【００６３】
また、クラウドサービスを利用した場合、共有設定がＯＦＦのフォルダとは当該フォルダのＵＲＬにアクセスして、当該フォルダ内の情報を表示装置に表示させることのできるユーザがフォルダに対して予め設定されているフォルダである。たとえば、あるユーザのみがアクセスすることのできるフォルダや、当該クラウドサービスのアカウントを有する複数のユーザで構成されるグループがアクセスすることのできるフォルダ等である。
【００６４】
上記の実施形態では、共有設定がＯＮのフォルダは、ユーザがアクセスしてフォルダ内の情報を表示することのできるフォルダであるとして説明した。その他にも、アクセスすることのできるユーザが予め決められていないフォルダを共有設定がＯＮのフォルダ、アクセスすることのできるユーザが予め決められているフォルダを共有設定がＯＦＦのフォルダとしてもよい。
【００６５】
上記の実施形態では、アクセスすることのできるユーザが制限されているフォルダとアクセスすることのできるユーザが制限されていないフォルダと、を区別して表示するものとして説明した。上記に加え、そのフォルダにアクセスすることのできるユーザに関する情報を取得して表示を区別することとしてもよい。例えば、ログインユーザのみがアクセスすることのできるフォルダと、ログインユーザを含む少なくとも一人のユーザから構成されグループに所属するユーザがアクセスすることのできるフォルダを分けて表示するとする。このようにすることで、ユーザが送信先のフォルダを選択するときに、共有設定がＯＮのフォルダだけでなく、自分だけがアクセスすることのできるフォルダと、グループに属するユーザがアクセスできるフォルダがどれであるかを知ることができる。
【００６６】
本実施形態では、スキャナ２０９で読み取った画像データをサーバ等外部の装置に送信することとして説明した。しかし、画像処理装置１００が外部の装置に送信する画像データはこれに限らない。例えば、ＲＡＭ２０３やＨＤＤ２１４に記憶されている画像データを外部の装置に送信することとしてもよい。また、画像処理装置１００はスキャナ２０９やプリンタ２０７を装置の内部に含む構成でなくても構わない。
【００６７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【図１】
2018107698.tif 000003
【図２】
2018107698.tif 000004
【図３】
2018107698.tif 000005
【図４】
2018107698.tif 000006
【図５】
2018107698.tif 000007
【図６】
2018107698.tif 000008
【図７】
2018107698.tif 000009
【図８】
2018107698.tif 000010
【図９】
2018107698.tif 000011
【図１０】
2018107698.tif 000012
【図１１】
2018107698.tif 000013